(57)【要約】【課題】ペン型入力装置を、細身のペン軸であっても、タッチパネル表面を傷付けることなく、入力精度の高いものとする。【解決手段】金属製の棒状ペン芯２の基端側を金属製の保持材３で保持し、この保持材３を覆った状態で中空の金属製筒部材よりなるペン軸４を保持材３に固定する。保持材３から突出するペン芯２の先端部を導電性樹脂材よりなるペン先保護部材５で覆い、ペン先保護部材５とペン芯２先端との間のペン芯２を絶縁性材料よりなるペン先補強材６で覆う。ペン先保護部材５は、ペン芯２先端部に形成された抜け止め用凹部２ａに流れ込むようにしてインサート成形される。【選択図】図１
2014081792.tif 000002
【特許請求の範囲】
【請求項１】
タッチパネル用のペン型入力装置において、
金属製の棒状ペン芯と、
上記ペン芯の基端側を保持する金属製の保持材と、
中空の金属製筒部材よりなり、上記保持材を覆った状態で該保持材に固定されるペン軸と、
上記保持材から突出する上記ペン芯の先端部を覆う導電性樹脂材よりなるペン先保護部材と、
上記ペン先保護部材と上記ペン軸先端との間の該ペン芯を覆う絶縁性材料よりなるペン先補強材とを備えており、
上記ペン芯先端部には、上記ペン先保護部材の抜け落ちを防止する抜け止め用凹部が形成され、該抜け止め用凹部にペン先保護部材の少なくとも一部が流れ込むようにインサート成形されている
ことを特徴とするペン型入力装置。
【発明の詳細な説明】
【技術分野】
【０００１】
本発明は、携帯端末等のタッチパネル、特に静電容量型タッチパネルに入力するためのペン型入力装置に関するものである。
【背景技術】
【０００２】
従来より、静電容量型のタッチパネル用のペン型入力装置（スタイラスペンともいう）は知られている。例えば、特許文献１のように内部にコンデンサなどの回路部品を内蔵するためにペン軸に中空材を使用することが知られている。また、特許文献２のように、タッチパネル表面を傷付けないようにペン先に導電性ゴムを使用することが知られている。
【先行技術文献】
【特許文献】
【０００３】
【特許文献１】特開２０１０−３９６１０号公報
【特許文献２】特開平１０−１７１５７９号公報
【発明の概要】
【発明が解決しようとする課題】
【０００４】
しかしながら、従来のペン型入力装置のように中空材のみでペン軸を構成すると、強度面が十分ではなく、逆に中実材を使用すると、質量が重くなってしまう。
【０００５】
また、静電容量型タッチパネルでは、ペンを持つ部分と、ペン先端との間の電気的導通を確保する必要があるが、細身のペンでは、導電性ゴムを使用した場合、導通部分の断面積が小さくなり、抵抗値が大きくなりすぎてタッチパネルの動作不良が発生するという問題がある。
【０００６】
そこで、ペン芯を金属製材料で構成することが考えられるが、ペン芯が細くなると、ペン芯をペン軸に半田付けするのは困難となる。また、ペン先まで金属製材料で構成すると、タッチパネル表面を傷付けるという問題がある。
【０００７】
本発明は、かかる点に鑑みてなされたものであり、その目的とするところは、ペン型入力装置を、細身のペン軸であっても、タッチパネル表面を傷付けることなく、入力精度の高いものとすることにある。
【課題を解決するための手段】
【０００８】
上記の目的を達成するために、この発明では、金属製材料と、導電性樹脂材料と、絶縁性材料とを適宜使い分けるようにした。
【０００９】
具体的には、第１の発明では、タッチパネル用のペン型入力装置において、
金属製の棒状ペン芯と、
上記ペン芯の基端側を保持する金属製の保持材と、
中空の金属製筒部材よりなり、上記保持材を覆った状態で該保持材に固定されるペン軸と、
上記保持材から突出する上記ペン芯の先端部を覆う導電性樹脂材よりなるペン先保護部材と、
上記ペン先保護部材と上記ペン軸先端との間の該ペン芯を覆う絶縁性材料よりなるペン先補強材とを備えており、
上記ペン芯先端部には、上記ペン先保護部材の抜け落ちを防止する抜け止め用凹部が形成され、該抜け止め用凹部にペン先保護部材の少なくとも一部が流れ込むようにインサート成形されている。
【００１０】
上記の構成によると、ペン芯を金属製とし、その先端を導電性樹脂材のペン先保護部材で覆うことで、抵抗値が大きくならないようにしながら、タッチパネル表面の傷付きを防止することができる。また、ペン芯を金属製の保持材で保持して金属製のペン軸に固定したことにより、抵抗値が大きくならないようにしながら強度が確保される。さらに、ペン先近傍のペン先補強材を絶縁性材料で構成したことにより、ペン先を傾けたときのタッチパネルの誤動作が確実に防止される。
【発明の効果】
【００１１】
以上説明したように、本発明によれば、金属製ペン芯を保持する金属製保持材を金属製ペン軸で覆い、ペン先を導電性ペン先保護部材で覆った上で絶縁性ペン先補強材で補強したので、ペン型入力装置を、細身のペン軸であっても、タッチパネル表面を傷付けることなく、入力精度の高いものとすることができる。
【図面の簡単な説明】
【００１２】
【図１】スタイラスペンの先端側を拡大して示す断面図である。
【図２】スタイラスペンの全体を示し、（ａ）が側面図で、（ｂ）が（ａ）のIIb−IIb線断面図である。
【発明を実施するための形態】
【００１３】
以下、本発明の実施形態を図面に基づいて説明する。
【００１４】
図１は、ペン型入力装置としてのスタイラスペンの先端側を拡大して示す断面図である。図２は、スタイラスペンの全体を示し、（ａ）が側面図で、（ｂ）が（ａ）のIIb−IIb線断面図である。タッチパネル用のスタイラスペン１は、図示しない携帯端末の静電容量型タッチパネルに接触させて入力する装置である。
【００１５】
スタイラスペン１は、金属製の棒状のペン芯２を備えている。ペン芯２は、例えば、強度確保のためにステンレス製丸棒とする。丸棒の先端には、外周を環状に凹ませた抜け止め用凹部２ａが切削されている。
【００１６】
ペン芯２の基端側には、例えば導電性のよい黄銅よりなる円筒状の保持材３が、かしめられている。そして、この保持材３を含め、ペン芯２の基端側を覆った状態で保持材３が中空の金属製筒部材よりなるペン軸４に覆われている。ペン軸４は、例えば、ステンレス製丸パイプよりなり、保持材３の部分がかしめられて抜け止めされている。
【００１７】
そして、保持材３からさらに突出するペン芯２の先端部は、導電性樹脂材よりなるペン先保護部材５で覆われている。ペン先保護部材５は、例えばペン芯２と共にインサート成形され、このインサート成形時にペン芯２先端部の抜け止め用凹部２ａにペン先保護部材５が流れ込むことにより、抜け止めされている。本実施形態では、ペン先保護部材５は、ペン芯２の中央部分まで延びているが、中央部分まで延びる必要はなく、少なくとも抜け止め用凹部２ａを覆う長さがあればよい。
【００１８】
ペン先保護部材５とペン軸４の先端との間は、絶縁性材料よりなるペン先補強材６で覆われている。ペン先補強材６は、例えば、ＡＢＳ樹脂よりなり、先端に向かって徐々に外径が細くなり、中央に貫通孔６ａのある円錐台形状である。
【００１９】
ペン軸４の基端側には、例えばエラストマーよりなるペン頭７がカシメにより固定されている。
【００２０】
これらの組立手順としては、例えば、ペン先保護部材５をペン芯２にインサート成形し、そのペン芯２の基端側をペン先補強材６の貫通孔６ａに挿入し、ペン芯２の基端側に保持材３を挿入してかしめ、その後、ペン軸４を挿入し、保持材３の部分をかしめるとよい。また、ペン軸４の基端側にペン頭７を挿入した後、かしめにより固定する。
【００２１】
このように、ペン芯２を金属製とし、その先端を導電性樹脂材のペン先保護部材５で覆うことで、抵抗値が大きくならないようにしながら、タッチパネル表面の傷付きを防止することができる。
【００２２】
また、ペン芯２を金属製の保持材３で保持して金属製のペン軸４に固定したことにより、抵抗値が大きくならないようにしながら強度が確保される。
【００２３】
さらに、ペン先近傍のペン先補強材６を絶縁性材料で構成したことにより、ペン先を傾けたときにペン先以外でタッチパネルが反応するという、タッチパネルの誤動作が確実に防止される。
【００２４】
したがって、本実施形態にかかるスタイラスペン１によると、細身のペン軸４であっても、タッチパネル表面を傷付けることなく、入力精度の高いものとすることができる。
【００２５】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００２６】
以上説明したように、本発明は、特に静電容量型タッチパネルに入力するためのペン型入力装置について有用である。
【符号の説明】
【００２７】
１      スタイラスペン
２      ペン芯
２ａ    抜け止め用凹部
３      保持材
４      ペン軸
５      ペン先保護部材
６      ペン先補強材
６ａ    貫通孔
７      ペン頭
【図１】
2014081792.tif 000003
【図２】
2014081792.tif 000004